(57)【要約】      （修正有）【課題】一時的に使用される簡易な間仕切り、バックボードなど簡易組立と解体再使用ができるパネル用の簡易連結部材を提供する。【解決手段】端面略コの字状の連結支持部２を複数設けた異方向連結支持体または係止部付き連結支持体の連結部材１に、該連結支持部２の先端に挿入誘導部５を形成し、また該連結支持部２を直線状、または直角、または四方向に設けた異方向連結支持体３の連結部材１とし、さらに係止部付き連結支持体の連結係止部と嵌合係止する該連結支柱を介して該パネル同士を連設する連結部材１とし、加えて該連結支持部２の挿入誘導部５を端面略レ状に形成し、また該連結支持部２の挿入誘導部を一方の曲面誘導片と該曲面誘導片の先端より若干長く突出した突出誘導片を設ける。【選択図】図１
0003180877.tif 000002
【実用新案登録請求の範囲】
【請求項１】
パネル同士を連設する連結部材であって、開口する端面略コの字状の連結支持部を複数、異方向に向けて一体的に設けた異方向連結支持体、または該連結支持部の背面側に連結係止部を設けた係止部付き連結支持体において、
該パネルの縁部を弾発付勢して接続支持できるように、開口する端面略コの字状の連結支持部を長手方向に連続して形成し、嵌合接続するパネル板厚に対応した該端面略コの字状の開口部を、該パネル板厚の幅より狭く形成すると共に該開口部の少なくとも一方の先端に挿入誘導部を形成したことを特徴とするパネル用の簡易連結部材。
【請求項２】
異方向連結支持体が、該端面略コの字状の連結支持部の背面同士を直線状、若しくは直角、若しくは四方向に各配設して一体的に設けた請求項１記載のパネル用の簡易連結部材。
【請求項３】
係止部付き連結支持体が、該端面略コの字状の連結支持部の背面側に突設された連結係止部と、所定方向に複数の連結係止部を有する連結支柱の所定方向の該連結係止部とで嵌合係止すると共に該連結支柱を介してパネル同士を連設する連結部材とした請求項１記載のパネル用の簡易連結部材。
【請求項４】
該端面略コの字状の連結支持部の挿入誘導部が、開口部の先端側でパネル板厚より幅広となるように、該端面略コの字状の両先端の一方を外側に端面略レ状に開口形成したとする請求項１から請求項３のいずれか一項に記載のパネル用の簡易連結部材。
【請求項５】
該端面略コの字状の連結支持部の挿入誘導部が、開口部の先端側でパネル板厚より幅広となるように、該端面略コの字状の両先端の一方を外側に曲がる曲面誘導片として形成すると共に他方の先端をその一方の該曲面誘導片先端より若干長く突出させた突出誘導片を設けたとする請求項１から請求項３のいずれか一項に記載のパネル用の簡易連結部材。
【考案の詳細な説明】
【技術分野】
【０００１】  本考案は、紙などの段ボールパネルを簡易な間仕切り、衝立、バックボードなどの使用目的で、該パネルを連設するパネル用の簡易連結部材に関する。
【背景技術】
【０００２】  従来、薄板又は段ボール等を連結して、一時的に使用する簡易な間仕切り、衝立、バックボードなどとして使用するとき、そのパネルの連結部材の接続部の幅を狭くして、弾発力で挟むように保持するもの、またその接続部で接着するものが、一般に使用されている。【０００３】  そしてその使用において、催し会場などで一時的に使用される簡易な間仕切り、衝立、バックボードは、その役目が終われば、従来はパネルを解体して廃棄するなど、都度使用されることが多かった。【０００４】  また、本出願人が出願したパネル７を容易に接続する連結具本体２は、その連結具本体２の嵌合部４に挿入することで、奥斜め方向に突出した粘着支持片５，５，…で簡易にパネルを接着接続し、また若干の板厚違いに対応して粘着支持片５，５，…が、粘着保持すると共に引き抜き方向の力に対して突っ張り状に支持するので、嵌合部４より薄いパネル７でも容易に外れず嵌合接続する「パネルなど板状体の連結具」がある。（例えば、特許文献１参照）【０００５】  さらに、連結部材７に形成された取り付け部１４に間仕切り板６の縁部を嵌入し、そしてポスト５の嵌合凹状部８に該連結部材７の嵌合凸状部１５を嵌合させることで、レイアウトの自由度と変更作業が簡単かつ短時間にでき、隣接する各ポスト間の間仕切り板６の後付けができる間仕切りとして組み立てる実施例を示した「間仕切り」がある。（例えば、特許文献２参照）
【先行技術文献】
【特許文献】
【０００６】
【特許文献１】特開２０１０−１０６６４７号公報
【特許文献２】特開平１０−６１０７２号公報
【考案の概要】
【考案が解決しようとする課題】
【０００７】  従来、催し会場などで一時的に使用される簡易な間仕切り、衝立、バックボードなどは、都度使用されることが多く、それは薄板又は段ボール等のパネルの連結部材が、両面テープなど接着を介して止められており、その使用の役目が終わって、間仕切り、衝立、バックボードなどを解体するとき、その接着によりパネル縁部の連結部が破損し、再使用するには不向きな連結部材が使用されており、その解体パネルの処分費用と毎回新たに使用するコスト分の削減が求められていた。【０００８】  また、パネルを連結するに当たって、接着しない連結部材を使用する場合、パネルの連結保持力を高める必要があり、例えば、図１４に示す従来例の連結部材１６は、挿入口１７，１７の先端の幅を狭くしてパネルを強く押圧する構成としており、そうすると逆に組み立てるとき、パネルを接続しづらく非常に繁雑な作業と時間を要し、その改善が求められ、組み立てやすく、また解体再使用のできる簡易な間仕切り、衝立、バックボードなどの要望があった。【０００９】  そのパネルの組み立てやすいとその連結保持力の関係は、該パネルの連結部を強く押圧保持するように狭持することで連結保持力が増すが、逆に、パネル縁部が傷つき、再使用に影響しやすく、また該保持力が大きいほど該パネル端を嵌合連設するとき嵌合しづらく、そしてそのパネルの連設する規模が大きくなるとその保持力も大きくする必要があり、さらに嵌合連設しづらいと言う関係が存在し、上述の保持力と挿入しやすいと言う、相反することの解決が求められていた。【００１０】  そして、本出願人が出願した、特許文献１の「パネルなど板状体の連結具」は、連結具本体２の断面略Ｕ字状の内側に設けられる嵌合部４にパネル７縁部を挿嵌して、該嵌合部４の奥斜め方向に突出した粘着支持片５，５，…にて、該パネル７縁部を接着しているので、接着による破損で、上述した課題のパネルの使い回しができなかった。【００１１】  また、特許文献２の「間仕切り」は、各ポスト５、５を床と天井に、上、下スタンド３，４で立設支持させると共にその各ポスト５、５の間で、連結部材７の板外嵌凹条部１４ｃに間仕切り板６の縁部を着脱可能に嵌合連結して立設使用するので、ポスト５、５の固定により、間仕切り板６の縁部が板外嵌凹条部１４ｃから抜け落ちないように支持され、このことから設置するのに床と天井との高さによる設置条件が存在し、この間仕切りは、上述したように上、下スタンド３，４で立設支持させないと、間仕切り板６の縁部が、板外嵌凹条部１４ｃから抜け落ちないように設置できなかった。
【課題を解決するための手段】
【００１２】  本考案は、上記課題を有効に達成するために第１の解決手段として、開口する端面略コの字状の連結支持部を複数、異方向に向けて一体的に設けた異方向連結支持体、または係止部付き連結支持体でパネル同士を連設する連結部材において、開口する端面略コの字状の連結支持部を長手方向に連続して形成し、嵌合接続するパネル板厚に対応した該端面略コの字状の開口部を、該パネル板厚の幅より狭く形成すると共に該開口部の少なくとも一方の先端に挿入誘導部を形成することで、
パネル縁部を、連結支持部の挿入誘導部より容易に嵌合させると共に該連結支持部で弾発支持させて、パネルを連結部材で連設して間仕切りなどとする。【００１３】  また、第２の解決手段は、該端面略コの字状の連結支持部の背面同士を直線状、若しくは直角、若しくは四方向に各配設して一体的に設けた異方向連結支持体の連結部材を使用することで、
パネル縁部を連結支持部の挿入誘導部より容易に嵌合させて、間仕切りなどの連設方向を、所定の異方向連結支持体で適宜変更して使用するとしている。【００１４】  また、第３の解決手段は、パネルを接続した係止部付き連結支持体の連結係止部と、所定方向に複数の連結係止部を有する連結支柱の所定方向の該連結係止部とで、嵌合係止すると共に該連結支柱を介して該パネル同士を連設する連結部材とすることで、
パネル縁部を連結支持部の挿入誘導部より容易に嵌合させて、間仕切りなどの連設方向を所定の係止部付き連結支持体の連結係止部と、連結支柱とで連設させて適宜変更して使用するとしている。【００１５】  また、第４の解決手段は、該端面略コの字状の連結支持部の挿入誘導部が、開口部の先端側でパネル板厚より幅広となるように、該端面略コの字状の両先端の一方を外側に端面略レ状に開口形成することで、
外側に端面略レ状に開口形成した挿入誘導部より、パネル縁部を容易に嵌合させると共に該連結支持部で弾発支持させ、そして該パネルを連結部材で連設して間仕切りなどとしている。【００１６】  また、第５の解決手段は、該端面略コの字状の連結支持部の挿入誘導部が、開口部の先端側でパネル板厚より幅広となるように、該端面略コの字状の両先端の一方を外側に曲がる曲面誘導片として形成すると共に他方の先端をその一方の該曲面誘導片先端より若干長く突出させた突出誘導片を設けることで、
外側に曲がる曲面誘導片として開口形成した挿入誘導部より、パネル縁部を容易に嵌合させると共に該連結支持部で弾発支持させ、そして該パネルを連結部材で連設させて間仕切りなどとしている。
【考案の効果】
【００１７】  本考案は、上述したそれぞれの手段によって有効な効果が得られるようにしたもので、特に第１の解決手段は、パネル同士を連設する連結部材であって、開口する端面略コの字状の連結支持部を複数、異方向に向けて一体的に設けた異方向連結支持体、または該連結支持部の背面側に連結係止部を設けた係止部付き連結支持体において、
該パネルの縁部を弾発付勢して接続支持できるように、開口する端面略コの字状の連結支持部を長手方向に連続して形成し、嵌合接続するパネル板厚に対応した該端面略コの字状の開口部を、該パネル板厚の幅より狭く形成すると共に該開口部の少なくとも一方の先端に挿入誘導部を形成しているので、
パネル縁部を連結支持部に挿嵌するだけで、端面略コの字状の対向する各片の弾発付勢により嵌合保持して接続できるので、該パネル縁部を挿嵌することで、簡易にパネルが接続でき、また簡易使用の役目が終われば、パネル、連結部材は、容易に取り外せて解体再使用がでる簡易な間仕切り、衝立、バックボードなどとなる。【００１８】  そして、簡易な間仕切りなどを解体したそのパネル、連結部材は、使い回しが可能であるので、それらに要する廃棄処分費などのコスト削減ができ、そしてゴミとして廃棄することなく省資源としての簡易な間仕切り、衝立、バックボードなどとして使用できる。【００１９】  また、該連結支持部で弾発支持させているので、パネルを連結部材で連設させて、簡易な間仕切り、衝立、バックボードなどとして使用しても容易に外れず、簡易に使用できる。【００２０】  また、第２の解決手段は、異方向連結支持体が、該端面略コの字状の連結支持部の背面同士を直線状、若しくは直角、若しくは四方向に各配設して一体的に設けているので、
パネル縁部を連結支持部の挿入誘導部より容易に嵌合させて、間仕切りなどの連設方向を所定の異方向連結支持体で適宜容易に変更でき、また一体的に形成されているので、連設方向が所定方向に固定されるが、その反面固定されることにより、より安定して自立させることができ、所望する連設方向は、各所定の異方向連結支持体を使用して連設方向が設定できるので、自立安定性と連設方向の設定効果が得られる。【００２１】  また、第３の解決手段は、係止部付き連結支持体が、該端面略コの字状の連結支持部の背面側に突設された連結係止部と、所定方向に複数の連結係止部を有する連結支柱の所定方向の該連結係止部とで嵌合係止すると共に該連結支柱を介してパネル同士を連設する連結部材としているので、
間仕切りなどの連設方向を所定の係止部付き連結支持体と連結支柱で、適宜容易に変更して使用でき、また一体的に形成されているので、連設方向が所定方向に固定されるが、その反面固定されることにより、より安定して自立させることができ、所望する連設方向は、各所定の異方向連結支持体を使用して連設方向が設定できるので、自立安定性と連設方向の設定効果が得られる。【００２２】  また、第４の解決手段は、該端面略コの字状の連結支持部の挿入誘導部が、開口部の先端側でパネル板厚より幅広となるように、該端面略コの字状の両先端の一方を外側に端面略レ状に開口形成するとしているので、
パネル縁部を、外側に端面略レ状に開口形成した挿入誘導部より容易に嵌合させることができるので、組み立て作業が容易で、且つ組立の時間短縮が図れる。【００２３】  また、第５の解決手段は、該端面略コの字状の連結支持部の挿入誘導部が、開口部の先端側でパネル板厚より幅広となるように、該端面略コの字状の両先端の一方を外側に曲がる曲面誘導片として形成すると共に他方の先端をその一方の該曲面誘導片先端より若干長く突出させた突出誘導片を設けるとしているので、
パネル縁部を、外側に曲がる曲面誘導片として形成した挿入誘導部より容易に嵌合させることができるので、組み立て作業が容易で時間短縮が図れ、また該連結支持部で弾発支持しているので、パネルを連結部材で連設させて、簡易な間仕切り、衝立、バックボードなどとして使用しても容易に外れず、簡易に使用できる。
よって、本考案は、実用上著大な効果を奏する。
【図面の簡単な説明】
【００２４】
【図１】  本考案の実施例の連結部材１の斜視図である。
【図２】  本考案の実施例の連結部材１の正面図である。
【図３】  本考案の他の実施例の連結部材１の正面図である。
【図４】  本考案の実施例のパネル６を連結部材１に連結した状態を示す平面図である。
【図５】  本考案の他の実施例の連結部材１ａの正面図である。
【図６】  本考案の他の実施例のパネル６を連結部材１ａで連設した状態を示す平面図である。
【図７】  本考案の他の実施例の連結部材１の正面図である。
【図８】  本考案の他の実施例のパネル６を連結部材１ａに接続した状態を示す平面図である。
【図９】  本考案の他の実施例のパネル６を連結部材１ａに挿嵌する状態を示す平面図である。
【図１０】  本考案の他の実施例のパネル６を連結部材１で連設した状態を示す平面図である。
【図１１】  本考案の他の実施例の連結部材１の正面図である。
【図１２】  本考案の各実施例の連結部材を組み合わせた使用状態を示す平面図である。
【図１３】  本考案の他の実施例の使用状態を示す正面図である。
【図１４】  従来例の連結部材１６の正面図である。
【考案を実施するための形態】
【００２５】  異方向連結支持体、または係止部付き連結支持体と連結支柱又はその双方を適宜使用して、パネルを連結部材の連結支持部に挿嵌することで容易に接続すると共にパネル厚に対応した連結支持部の弾発力で保持させて連設することとし、また連設方向を適宜選ぶことが可能で、そしてその容易な接続は、端面略レ状に開口形成した挿入誘導部と外側に曲がる曲面誘導片とで実現させ、さらにその接続に対して連結支持部が、パネルを弾発付勢することで容易に外れることがなく、加えて簡易使用の役目が終われば、パネル、連結部材は、容易に取り外して解体再使用する簡易な間仕切り、衝立、バックボードなどを実現させた。
【実施例】
【００２６】  本考案の実施例を図面に基づいて説明すると、先ず本考案で示す連結部材は、パネルを接続する複数の端面略コの字状の連結支持部で構成した連結部材１と、パネルを接続する端面略コの字状の連結支持部と連結係止部材とで構成した連結部材１ａとしている。【００２７】  そこで該連結部材１は、図１に示すように、それぞれ逆方向に開口する端面略コの字状の連結支持部２，２を形成すると共に長手方向に連続して形成した異方向連結支持体３で、該連結支持部２の開口の一片側を弾発付勢片４とすると共に該先端部近傍に端面略レ状に形成した挿入誘導部５を設けている。なお、該開口する両片を弾発付勢片４，４としても良い。【００２８】  そして、該異方向連結支持体３の連結支持部２の弾発付勢片４および端面略レ状の挿入誘導部５の該開口の幅において、図２に示す端面略コの字状の連結支持部２の奥端図中Ａから挿入誘導部５近傍まで同幅の弾発付勢片４を形成し、そして該端面略レ状の挿入誘導部５で最も狭い幅図中Ａａとし、該ＡとＡａの差が押圧力としての可動域であり、また該挿入誘導部５先端では図中Ａより幅広に形成して挿入域を広げている。【００２９】  なお、上述図２に示す異方向連結支持体３の他の実施例として、図３に示す異方向連結支持体３ａは、端面略コの字状の連結支持部２の奥端の図中Ｂの幅から挿入誘導部５近傍の図中Ｂｂまで順次狭くなるように傾斜して弾発付勢片４ａを形成すると共に該端面略レ状の挿入誘導部５で最も狭い幅図中Ｂｂとし、該ＢとＢｂの差が押圧力としての可動域であり、また該挿入誘導部５先端では図中Ｂより幅広に形成して挿入域を広げている。【００３０】  そして、図４に示すように、段ボールなどのパネル６を連結部材１に接続連設するとき、異方向連結支持体３のそれぞれ端面略コの字状の連結支持部２，２の挿入誘導部５，５から該パネル６，６を挿嵌して保持させると共に該挿入誘導部５，５の弾発付勢片４，４でパネル６，６の縁部を弾発して押圧保持させている。【００３１】  しかして、図５に示す連結部材１ａの係止部付き連結支持体８は、上述連結部材１の異方向連結支持体３と略同様の端面略コの字状の連結支持部２を形成すると共に該端面略コの字状の背面側から突出するように連結係止部７を突設し、該先端部には連結係止する略キノコ状の係止頭部７ａを形成している。【００３２】  そして、図６に示すように、パネル６を連結部材１ａに接続するとき、係止部付き連結支持体８の連結支持部２の挿入誘導部５から該パネル６を挿嵌すると共に該挿入誘導部５の弾発付勢片４でパネル６の縁部を押圧保持して、該パネル６と係止部付き連結支持体８を接続している。【００３３】  そして次に、該パネル６と係止部付き連結支持体８が接続された該パネル６を三方向に区割りで使用する場合、図６に示すように、パネル６が接続された該連結係止部７の略キノコ状の係止頭部７ａを連結支柱９の凹状係止部１０に嵌合させて、それぞれ区割りする三方向に嵌合連設させる。【００３４】  なお、該連結支柱９は、棒状で上述連結部材１ａの係止頭部７ａに対応する形状の凹状係止部１０，１０，１０，１０をそれぞれ周面四等分で凹設すると共に長手方向に連続して形成して、二から四方向の連設用として使用する。【００３５】  しかして、図７に示す連結部材１の異方向連結支持体３ｂは、上述した図３の異方向連結支持体３ａの他の実施例で、その構成の差違において、図７に示すように該端面略コの字状の一方片を弾発付勢片４ｂとして形成すると共にその先端を外側に曲がる曲面挿入誘導部１１として形成し、他方片を該一方片の該曲面挿入誘導部１１の先端より若干長く突出させた突出誘導片１２を形成して、該異方向連結支持体３ｂが長手方向に連続して形成されている。【００３６】  なお、該外側に曲がる曲面挿入誘導部１１は、図示するように丸状、または板状の物を丸めるように外側に曲げたものでも良く、パネル６を挿入しやすいような外側に曲がる曲面であればよいが、詳細な図示は省略した。【００３７】  また、該曲面挿入誘導部１１は、図３に示す連結支持部２の奥端から挿入誘導部５近傍まで順次狭くなるように傾斜した弾発付勢片４ａのように形成して開口幅が設定され、該奥端の幅と曲面挿入誘導部１１の先端近傍の幅の差が押圧力としての可動域である。【００３８】  しかして、図８に示すパネル６を接続した連結部材１ａの係止部付き連結支持体８ａは、上述した図５の係止部付き連結支持体８の連結係止部７と、図７に示す異方向連結支持体３ｂの連結支持部２の弾発付勢片４ｂと突出誘導片１２を各組み合わせた他の実施例である。【００３９】  そして、該図７および図８の共通する構成の連結支持部２にパネル６を接続するとき、図９に示すように、弾発付勢片４ａの曲面挿入誘導部１１と突出誘導片１２の間に、該パネル６の縁部端を斜め方向から挿嵌することは、曲面挿入誘導部１１の曲面と、その所定の長さを有する突出誘導片１２との間で該パネル６の縁部がずれて外れることなく容易に接続できる。【００４０】  しかして、図１０に示す連結部材１の異方向連結支持体３ｃは、上述した図７に示す異方向連結支持体３ｂと略同様の構成で、その差違において、連結部材１の連結支持部２，２を直角方向の開口として形成すると共にパネル６を直角に接続して、連結支持部２，２の弾発付勢片４ｂ，４ｂと突出誘導片１２，１２でパネル６，６の縁部をそれぞれ押圧保持して連設する。【００４１】  しかして、図１１に示す連結部材１の異方向連結支持体３ｄは、上述した図１に示す異方向連結支持体３と略同様の構成で、その差違において、連結部材１の連結支持部２を直角に四方向の開口として形成すると共にパネル６をクロス状に接続して、上述と略同様にパネル６を連設する。【００４２】  しかして、図１２に示す実施例は、上述した各実施例の連結部材１の異方向連結支持体３，３ａ，３ｂ，３ｃ，３ｄと、連結部材１ａの係止部付き連結支持体８，８ａを各組み合わせて、所望のレイアウトに合わせてパネル６を各連設させて、簡易な間仕切り、衝立、バックボードなどとして使用する。【００４３】  なお、図中Ｃの矢印は、連結支柱９の凹状係止部１０を介して連結支持体８の凹状係止部１０を所定範囲内の角度に設定することができる状態を示し、該パネル６に接続する係止部付き連結支持体８の係止頭部７ａを介して、該凹状係止部１０で所定範囲回動させることで、該パネル６を所定角度にて設置およびそのレイアウトの範囲が設定できるので、そのレイアウトの多様性が得られる。【００４４】  また、そのパネル６を各連設させるとき、図１３に示すように、連結部材１の異方向連結支持体３でそれぞれパネル６，６を接続連設し、その接続した状態でパネル６，６上部に上述した端面略コの字状の連結支持部２と同形状の縁部嵌合部材１３を冠着する。【００４５】  そして、そのパネル６，６の上部に縁部嵌合部材１３を冠着するとき、異方向連結支持体３の端面略コの字状の弾発付勢片４を含む両片を、該縁部嵌合部材１３がパネル６，６上部に冠着する部分までを切り取ると共に中央の仕切り部１４を残し、該残した仕切り部１４を冠着した縁部嵌合部材１３より突出するように形成する。【００４６】  また、該仕切り部１４が突出する部分に対応する縁部嵌合部材１３に該突出する仕切り部１４に対応した挿通孔１５を開設し、該挿通孔１５で冠着した縁部嵌合部材１３が左右にずれないように支持すると共にパネル６，６と異方向連結支持体３の接続もずれないように保持させ、特に、連設数が多くなるとその連設の少しの擦れで全体の歪みで抜けやすくなり、その抜け止めとして作用が得られる。
【産業上の利用可能性】
【００４７】  本考案は、組立と解体が容易で、パネルおよび連結部材の再使用が可能な簡易な間仕切り、衝立、バックボードなどとして使用できる。
【符号の説明】
【００４８】    １，１ａ  連結部材
２  連結支持部
３，３ａ，３ｂ，３ｃ，３ｄ  異方向連結支持体
４，４ａ，４ｂ  弾発付勢片
５  挿入誘導部
６  パネル
７  連結係止部
８，８ａ  係止部付き連結支持体
９  連結支柱
１０  連結係止部。
【図１】
0003180877.tif 000003
【図２】
0003180877.tif 000004
【図３】
0003180877.tif 000005
【図４】
0003180877.tif 000006
【図５】
0003180877.tif 000007
【図６】
0003180877.tif 000008
【図７】
0003180877.tif 000009
【図８】
0003180877.tif 000010
【図９】
0003180877.tif 000011
【図１０】
0003180877.tif 000012
【図１１】
0003180877.tif 000013
【図１２】
0003180877.tif 000014
【図１３】
0003180877.tif 000015
【図１４】
0003180877.tif 000016